(57)【要約】【課題】手持ち状態で、釣竿とリール本体とを片手で把持しながら、サミング操作からモータ出力操作へと至る一連の操作をスムーズに行なえる操作フィーリングに優れた魚釣用電動リールを提供する。【解決手段】本発明の魚釣用電動リールにおいて、駆動モータの出力を調整する操作部２５は、スプール７のフランジ７ｂの外縁から径方向外方の所定の範囲内でスプール７の回転方向に沿って円弧状に移動可能に支持されている。【選択図】図４
2012161300.tif 000002
【特許請求の範囲】
【請求項１】
リール本体の左右側板間に回転可能に設けられ、釣糸が巻回されるスプールと、前記リール本体に設けられ、前記スプールを回転駆動する駆動モータと、前記駆動モータの出力を調整する操作部とを有する魚釣用電動リールであって、
前記操作部は、前記スプールのフランジの外縁から径方向外方の所定の範囲内で前記スプールの回転方向に沿って円弧状に移動可能に支持されることを特徴とする魚釣用電動リール。
【請求項２】
前記操作部が前記スプールの回転軸を中心に回動することを特徴とする請求項１に記載の魚釣用電動リール。
【請求項３】
前記操作部の少なくとも一部が前記側板間の前記スプール上方に位置されることを特徴とする請求項１または請求項２に記載の魚釣用電動リール。
【請求項４】
前記操作部の少なくとも一部が前記スプールのフランジ近傍に位置されることを特徴とする請求項１ないし請求項３のいずれか１項に記載の魚釣用電動リール。
【請求項５】
前記操作部が前記側板間に架設されることを特徴とする請求項１ないし請求項４のいずれか１項に記載の魚釣用電動リール。
【請求項６】
前記操作部の操作回動角を検出するための角度センサを更に備え、前記操作部に設けられるラックが前記角度センサに設けられるピニオンと噛合することにより前記操作部の操作回転角が前記角度センサに伝えられることを特徴とする請求項１ないし請求項５のいずれか１項に記載の魚釣用電動リール。
【請求項７】
前記リール本体に取り付けられ、前記駆動モータを制御する制御部および表示部を具備する制御ケースを更に備え、
前記角度センサが前記制御ケースに固定される、
ことを特徴とする請求項６に記載の魚釣用電動リール。
【発明の詳細な説明】
【技術分野】
【０００１】
本発明は魚釣用電動リールに関する。
【背景技術】
【０００２】
従来、魚釣用電動リールは、主に深場の釣りに適用させるべく、仕掛けの放出から巻き取りに至るまで、釣竿を船縁に装着された竿掛けに置いたままの状態で行えるように構成されたものが多いが、最近では、手持ち状態で操作が行えるように、よりコンパクト化された構成も製品化されている。
【０００３】
一方、魚釣用電動リールは、スプールを巻き取り操作するための操作部材を、様々な位置に配置することが知られている。例えば、特許文献１に開示されているように、リール本体の後方に、モータ出力を調整できるように回動レバー式に構成した操作部材、あるいは、スライドタイプに構成した操作部材を配置することが知られている。また、特許文献２には、制御ケースの上面から円板状の回転摘み（操作部材）の一部を露出させ、上方から親指を押し付けながら回転操作することで、モータ出力を連続的に可変させる構成が開示されている。
【先行技術文献】
【特許文献】
【０００４】
【特許文献１】特開２００１−１６９７００号
【特許文献２】特開２００３−９２９５９号
【発明の概要】
【発明が解決しようとする課題】
【０００５】
上記したように、最近の魚釣用電動リールでは、ルアーフィッシングに用いられる魚釣用（ベイトキャスティング）リールと同様、手持ち状態で操作することが可能なタイプも望まれているが、従来の小型化された魚釣用電動リールでは、操作性の面で更に改良すべき余地がある。具体的には、釣竿とともにリール本体を把持した状態で、アタリを感知しながらのサミング操作やシャクリ操作、フッキング、釣糸巻き取り操作などの一連の操作を、釣竿とともにリール本体を把持している側の手で違和感なく行えるようにすることが望ましい。
【０００６】
しかしながら、上記した従来のタイプの魚釣用電動リールでは、これら一連の操作を手持ち状態で行なうことが難しい。すなわち、特許文献１に開示されている構成では、スプールの巻き取り操作を行なう操作部材を、リール本体を把持している手のみで操作するのは、操作部材の位置や把持状態、リールの重心バランスとの関係から困難である。
【０００７】
一方、特許文献２に開示されている構成では、リールの高さ寸法が大きくなってしまい、竿を持つ片手でリールも把持しながら操作部材を操作するのが困難となる。また、サミング操作とモータ出力操作の際の指の移動方向（力を受けたり、力を入れる方向）に差があり、サミング操作から巻き取り操作へと至る一連の操作を良好に行なうことが難しい。
【０００８】
本発明は、上記した問題に着目してなされたものであり、手持ち状態で、釣竿とリール本体とを片手で把持しながら、サミング操作からモータ出力操作へと至る一連の操作をスムーズに行なえる操作フィーリングに優れた魚釣用電動リールを提供することを目的とする。
【課題を解決するための手段】
【０００９】
前記課題を解決するために、請求項１に記載の発明は、リール本体の左右側板間に回転可能に設けられ、釣糸が巻回されるスプールと、前記リール本体に設けられ、前記スプールを回転駆動する駆動モータと、前記駆動モータの出力を調整する操作部とを有する魚釣用電動リールであって、前記操作部は、前記スプールのフランジの外縁から径方向外方の所定の範囲内で前記スプールの回転方向に沿って円弧状に移動可能に支持されることを特徴とする。
【００１０】
この請求項１に記載の発明によれば、操作部がスプールのフランジの外縁から径方向外方の所定の範囲内でスプールの回転方向に沿って円弧状に移動可能に支持されるため、スプールに対するサミンング操作に関与するスプール糸巻き面の曲率と操作部の操作移動軌跡の曲率とを近似させることが可能となり（設計自由度が高い）、手持ち状態で釣竿とリール本体とを片手で把持しながらであっても、サミング操作からモータ出力操作へと至る一連の操作を優れた操作フィーリング（スプールの回転と同調したフィーリング）をもってスムーズに行なえる。
【００１１】
上記構成では、より良い操作感を得るため、サミング操作位置から操作部の操作位置へと向かう方向をモータ出力の増加方向に合わせることが好ましい。また、上記構成において、「スプールのフランジの外縁から径方向外方の所定の範囲」とは、スプールの回転軸に対して直交する断面で見たときに、スプールの（スプールに対する糸巻き量を規定する）フランジの外縁の径方向外側に位置する環状領域の一部に対応する。そして、上記構成では、サミング操作状態から操作部を操作しようとする手の指が当接可能な操作部の少なくとも径方向最も内側の部位（最内部位）が円弧状に移動し（すなわち、本発明において、円弧状に移動する操作部の部位は、少なくとも径方向最も内側の部位で規定される）、その最内部位が少なくともその移動経路の始点から終点に至る全体にわたって前記所定の範囲内に位置している必要がある。また、上記構成における「円弧状の移動」では、その移動軌跡の曲率半径は任意であるが、スプール回転軸（スプール軸）を中心として、スプールのフランジの外縁（スプールの最大外径部）の半径をＲとし、操作部の円弧移動部位（少なくとも前記最内部位）の円弧移動半径をＲ１としたときに、Ｒ１＝Ｒ×１．０〜１．５となることが特に好ましい。すなわち、前記「所定の範囲」は、スプールの回転軸を中心とする半径がＲの円と半径が１．５×Ｒの円との間の環状領域であることが好ましい。これは、前記「所定の範囲」がＲよりも小さいと、操作部の配置形態によってはスプールに巻回される釣糸と操作部とが干渉してしまう場合があり、一方、１．５Ｒよりも大きいと、操作部がスプールから離れすぎて、サミング操作から操作部によるモータ出力操作へのスムーズな移行が難しくなるとともに、リール本体のコンパクト化を図れなくなるからである。
【００１２】
なお、本発明では、スプールから釣糸が繰り出される方向にあるリール本体の側が前方、その反対方向すなわちスプールが配置されるリール本体の側が後方、左右側板が配置されるリール本体の側が左右（側方、側部）、釣竿に取り付けられるリール本体の側が下方、その反対側が上方として方向が規定される。
【００１３】
また、請求項２に記載の発明は、請求項１に記載の発明において、前記操作部が前記スプールの回転軸を中心に回動することを特徴とする。
【００１４】
この請求項２に記載の発明によれば、請求項１に記載の発明と同様の作用効果が得られるとともに、操作部がスプールの回転軸を中心に回動するため、操作部の円弧移動範囲（前記「所定の範囲」）を小さくすることができ、ひいては、操作部の設置に関与するフレームの小型化を図ることもできる。また、このように操作部がスプールの回転軸を中心に回動する構成では、特にスプール軸よりも前方に操作部を設ける形態（後述する本発明の第２の実施形態参照）において、リール本体に設けられる制御ケースの下側に操作部の移動軌跡を潜り込ませることもでき、省スペース化を図ることが可能になる。なお、上記構成において、操作部の回動中心はスプールの回転中心から若干ずれていても構わない。１０ｍｍ程度のずれであれば、良好な操作フィーリングが得られる。
【００１５】
また、請求項３に記載の発明は、請求項１または請求項２に記載の発明において、前記操作部の少なくとも一部が前記側板間の前記スプール上方に位置されることを特徴とする。
【００１６】
この請求項３に記載の発明によれば、請求項１または請求項２に記載の発明と同様の作用効果が得られるとともに、操作部の少なくとも一部が側板間のスプール上方に位置されるため、手持ち状態で釣竿とリール本体とを片手で把持しながらの操作部の操作が容易になることは勿論のこと、重量バランスも良好となるため、把持に伴う疲れが少ない。また、サミング操作からそのまま指を上方へ動かすだけで操作部によるモータ出力操作を行なうことができ、操作性が良好である。なお、本構成では、スプールの回転軸よりも前方に操作部を設けることが好ましい。そのようにすることにより、サミング操作スペースを広く確保でき、操作がし易くなる上、糸絡みやバックラッシュの際の修復も容易になる。
【００１７】
また、請求項４に記載の発明は、請求項１ないし請求項３のいずれか１項に記載の発明において、前記操作部の少なくとも一部が前記スプールのフランジ近傍に位置されることを特徴とする。
【００１８】
この請求項４に記載の発明によれば、請求項１ないし請求項３のいずれか１項に記載の発明と同様の作用効果が得られるとともに、操作部の少なくとも一部がスプールのフランジ近傍に位置されるため、サミング操作する指をそのまま斜め横上方へ移動させるだけで操作部によるモータ出力操作を行なうことができ、目視上においても、サミング操作フィーリングとモータ巻取り操作フィーリングとの同調を良好に図ることができる。
【００１９】
また、請求項５に記載の発明は、請求項１ないし請求項４のいずれか１項に記載の発明において、前記操作部が前記側板間に架設されることを特徴とする。
【００２０】
この請求項５に記載の発明によれば、請求項１ないし請求項４のいずれか１項に記載の発明と同様の作用効果が得られるとともに、操作部が側板間を跨いで架橋状に配置されているため、大きな負荷に対して強く、竿とリールとを握持保持した状態での操作に適する。特に、本構成では、スプールの上方に操作部が位置する結果となるため、リールの重心位置とのずれが小さく（したがって、操作に伴う回転モーメントが小さく）、操作に疲れを来たすことがない。
【００２１】
また、請求項６に記載の発明は、請求項１ないし請求項５のいずれか１項に記載の発明において、前記操作部の操作回転角を検出するための角度センサを更に備え、前記操作部に設けられるラックが前記角度センサに設けられるピニオンと噛合することにより前記操作部の操作回転角が前記角度センサに伝えられることを特徴とする。
【００２２】
この請求項６に記載の発明によれば、請求項１ないし請求項５のいずれか１項に記載の発明と同様の作用効果が得られるとともに、操作部から角度センサへと操作回転角を伝達するための構造がラック・ピニオンにより簡略化されるため、故障し難い。また、このような構造により、角度センサの収容スペースを確保し易くなる。
【００２３】
また、請求項７に記載の発明は、請求項６に記載の発明において、前記リール本体に取り付けられ、前記駆動モータを制御する制御部および表示部を具備する制御ケースを更に備え、前記角度センサが前記制御ケースに固定されることを特徴とする。
【００２４】
この請求項７に記載の発明によれば、請求項６に記載の発明と同様の作用効果が得られるとともに、角度センサと制御ケースとのユニット化も可能になり、生産性および組み込み性を高めることもできる。
【発明の効果】
【００２５】
本発明によれば、手持ち状態で、釣竿とリール本体とを片手で把持しながら、サミング操作からモータ出力操作へと至る一連の操作をスムーズに行なえる操作フィーリングに優れた魚釣用電動リールが得られる。
【図面の簡単な説明】
【００２６】
【図１】本発明の第１の実施形態に係る魚釣用電動リールの平面図である。
【図２】内部機構が部分的に示される図１に示す魚釣用電動リールの平面図である。
【図３】図１に示す魚釣用電動リールをハンドル側から見た側面図である。
【図４】図１のＡ−Ａ線に沿う断面図である。
【図５】図１のＢ−Ｂ線に沿う断面図である。
【図６】操作部を前方に移動させた状態の本発明の第２の実施形態に係る魚釣用電動リールの平面図である。
【図７】図６に示す魚釣用電動リールをハンドル側から見た側面図である。
【図８】操作部を前方に移動させた状態の図６のＣ−Ｃ線に沿う断面図である。
【図９】図６のＤ−Ｄ線に沿う断面図である。
【図１０】操作部を後方に移動させた状態の図６に示す魚釣用電動リールの平面図である。
【図１１】操作部を後方に移動させた状態の図６のＣ−Ｃ線に沿う断面図である。
【図１２】本発明の第３の実施形態に係る魚釣用電動リールの平面図である。
【図１３】図１２のＥ−Ｅ線に沿う断面図である。
【図１４】本発明の第４の実施形態に係る魚釣用電動リールの平面図である。
【図１５】図１４のＦ−Ｆ線に沿う断面図である。
【図１６】図１４に示す魚釣用電動リールの操作部と角度センサとのラック・ピニオン構造部の断面図である。
【図１７】本発明の第２の実施形態におけるサミング操作からスプールの巻き取り操作に至る一連の操作の流れを示す説明図（断面図）である。
【図１８】本発明の第４の実施形態におけるサミング操作からスプールの巻き取り操作に至る一連の操作の流れを示す説明図（断面図）である。
【発明を実施するための形態】
【００２７】
以下、図面を参照しながら本発明の実施形態について説明する。  
【００２８】
図１〜図５は本発明の第１の実施形態を示している。図１に示されるように、本実施形態に係る魚釣用電動リール１は、左右のフレーム３ａ，３ｂに左右カバー４ａ，４ｂを取着して構成される左右側板５Ａ，５Ｂを具備したリール本体５を有している。リール本体５を構成する一方の側板（右側板５Ｂ）側には、巻取り操作される手動ハンドル６が設けられており、左右側板５Ａ，５Ｂ間には、釣糸が巻回されるスプール７がスプール軸７ａ（図４および図５参照）を中心に回転可能に支持されている。また、本実施形態では、図２，４，５に示すように、スプール７の前方側における左右側板５Ａ，５Ｂ間に駆動モータ８を保持しており、スプール７は、手動ハンドル６の巻取り操作および駆動モータ８の回転駆動によって、動力伝達機構１０（図２参照）を介して釣糸巻取り方向に回転駆動される。
【００２９】
なお、駆動モータ８については、スプール７の内部に設置する構成であっても良いが、本実施形態のように、スプール７の前方に設置することで、スプール７の糸巻き量を確保しつつ、リール本体５を可及的にコンパクト化することが可能となる。また、動力伝達機構１０については、駆動モータ８の回転駆動力を減速してスプール７側に伝達する機能（減速機構１０２および伝達ベルト１００（図２参照）などによって果たされる）、駆動モータ８が回転駆動しても手動ハンドル６を連れ回しさせない機能や手動ハンドル６の逆回転を防止する機能（ラチェット１０４を含む）などを備えた公知のものによって構成することが可能である。また、そのような動力伝達機構１０については、左側板５Ａ側に配設されていても良いし、右側板５Ｂ側に配設されていても良く、或いは、左右側板それぞれに振り分けて配設されていても良い。なお、図中（特に図２）、１１６はハンドル６に結合されたハンドル軸、１１８は、ハンドル軸１１６に回転可能に支持されたドライブギア、１２０はドライブギア１１８に噛合するピニオンであり、これらは前述した動力伝達機構１０を構成する。また、図中、１２５は魚釣時にスプール７から釣糸が繰り出された際にスプール７の回転にドラグ力を付与する公知のドラグ機構である。また、リール本体５とハンドル６との間には、ドラグ機構１２５によるドラグ力の調整を行なうための星型のドラグ調整ノブ（スタードラグ）１３９が設けられている。また、図中３００はスプール調整ダイヤルである。
【００３０】
また、スプール７の前方の左右側板５Ａ，５Ｂ間には、スプール７に対して均等に釣糸を巻回する機能を備えた公知のレベルワインド機構１４２（図４および図５参照）が設置されている。さらに、リール本体５を構成する左右側板５Ａ，５Ｂ間にはスプール７の前方側に位置して、駆動モータ８を制御する制御部（図示せず）を具備する制御ケース１５が配設されている。制御ケース１５は、特に図４および図５に示すように、スプール７よりも上方に位置して、レベルワインド機構１４２および駆動モータ８を覆うような大きさを備えている。また、制御ケース１５の表面には、繰り出された釣糸の長さ（糸長情報）などを表示する表示部（液晶表示部）１６が設けられており、また、その周囲には、各種の情報が設定可能な複数の操作ボタン２１６が配設されている。なお、本実施形態において、操作ボタン２１６は、図１に明確に示されるように、制御ケース１５の上面において、表示部１６と後述する操作部２５との間で且つ釣竿とともにリール本体５を把持保持した状態で親指Ｔが届く位置とされている。
【００３１】
また、リール本体５内には、ピニオン１２０を軸方向に移動させてスプール７を釣糸巻き取り状態／フリー回転状態に切り換える公知のクラッチ機構１７（図示せず）が配置されている。このクラッチ機構は、動力伝達機構１０に介在されて手動ハンドル６および駆動モータ８からの動力伝達を継脱する機能を備えており、本実施形態では、例えば右側板５Ｂ側に設置される。このクラッチ機構を構成するクラッチプレートには、図１に示されるように、動力伝達をＯＮ状態からＯＦＦ状態に切り換えるクラッチＯＦＦ切り換え部材１８と、動力伝達をＯＦＦ状態からＯＮ状態に切り換えるクラッチＯＮ切り換え部材１９が係合している。
【００３２】
本実施形態におけるクラッチＯＦＦ切り換え部材１８は、スプール７をサミングしながら操作が可能となるように、スプール７の後方側の左右側板５Ａ，５Ｂ間に架設された構成となっており、図４および図５に示す状態から押し下げ操作することで、クラッチ機構をＯＮ状態からＯＦＦ状態に切り換えるよう構成されている。クラッチＯＦＦ切り換え部材１８は、図示しない振り分け保持バネによって、図４および図５に示すクラッチＯＮ位置とクラッチＯＦＦ位置（図示せず）との間で振り分け保持される。
【００３３】
また、本実施形態におけるクラッチＯＮ切り換え部材１９は、右側板５Ｂ側に設置されており、振り分け保持によって、クラッチＯＮ位置とクラッチＯＦＦ位置との間で揺動可能となるよう振り分け保持され、クラッチＯＦＦ時に突出するようになっている。
【００３４】
リール本体５には、駆動モータ８に対して電力を供給するための給電部２０が設けられている。この給電部２０は、左側板５Ａの前方側の下面領域に形成されており、この給電部２０に対しては、着脱可能な携帯バッテリを装着したり、或いは、足元に置いたバッテリや釣り船に設置されている電源部から電力供給される給電コードが装着される。
【００３５】
制御ケース１５の後方部分には、駆動モータ８の出力を調整する操作部２５が配置されている。この操作部２５は、スプール７の上方に位置して、前後方向（釣竿方向）に変位できるように支持されている。ここで、操作部２５の特に後述する操作部位２５ａ（親指が当接する操作領域）は、スプール７に釣糸が巻回された状態において、釣竿とともにリール本体５を把持保持しつつサミング操作しながら操作可能となるように（リール本体５をリール脚取付け部５ａを介して釣竿に装着した際に、釣竿とともにリール本体５を把持保持した状態の手の親指が届くように）位置されている。具体的に、本実施形態の操作部２５は、スプール７の釣糸巻き取り量を規定するフランジ７ｂの外縁から径方向外方の所定の範囲内でスプール７の回転方向に沿って円弧状に移動可能に支持されている。ここで、「スプールのフランジの外縁から径方向外方の所定の範囲」とは、スプールの回転軸に対して直交する断面で見たときに、スプール７のフランジ７ｂの外縁よりも径方向外側に位置する環状領域の一部に対応する。そして、この場合、サミング操作状態から操作部２５を操作しようとする手の指が当接可能な操作部位２５ａの少なくとも径方向最も内側の部位（最内部位）が円弧状に移動し（すなわち、円弧状に移動する操作部２５の部位は、少なくとも操作部位２５ａの径方向最も内側の部位で規定される）、その最内部位が少なくともその移動経路の始点から終点に至る全体にわたって前記所定の範囲内に位置している必要がある。
【００３６】
より具体的には、操作部２５は、側板５Ａ，５Ｂ間に架設され且つ釣竿とともにリール本体５を把持保持した状態の手の親指によって操作可能な操作部位２５ａと、左右のフレーム３ａ，３ｂにそれぞれ円弧状に移動可能に設けられて操作部位２５ａと一体を成す（操作部位２５ａと例えばネジ止めされる）移動体２５ｂ，２５ｃとを有する（したがって、操作部２５は、その少なくとも一部（操作部位２５ａ）が側板５Ａ，５Ｂ間のスプール７上方に位置されるようになっている）。なお、操作部位２５ａと移動体２５ｂ，２５ｃは一体成形部材であってもよい。ここで、図４および図５に示されるように、操作部位２５ａの略楕円断面の両端部２５ａ’は、左右フレーム３ａ，３ｂの円弧状に延びる長溝（穴、凹部、あるいは、貫通孔であってもよい）７５に移動可能に係止されている。なお、前記両端部２５ａ’は、組み込み性を考慮すると操作部２５とは別部材であるのが好ましく、その断面形状は、円弧状の移動が可能なら楕円でなく、例えば、円形であってもよい。また、各移動体２５ｂ，２５ｃは、左右フレーム３ａ，３ｂの円弧状に延びる凹溝７４内に移動可能に収容されている。言うまでもなく、長溝７５および凹溝７４はいずれも、操作部２５の移動軌跡と姿勢とを制御するものである。
【００３７】
操作部２５の円弧状の移動軌跡の曲率半径は任意であるが、特に本実施形態では、操作部２５がスプール７の回転中心（回転軸）Ｏ（スプール軸７ａの中心Ｏ／図４および図５参照）周りに回動するようになっている。そのため、左右フレーム３ａ，３ｂの凹溝７４は、回転軸Ｏを中心とする円を描くように一定の曲率をもって延び、また、左右フレーム３ａ，３ｂの長溝７５も、回転軸Ｏを中心とする円を描くように一定の曲率をもって延びている。そして、特に、本実施形態では、円弧状に移動する前記最内部位Ｐが、操作部位２５ａの径方向最も内側の後端縁となっている（図４および図５参照）。この場合、スプール７の回転軸Ｏを中心として、スプール７のフランジ７ｂの外縁（スプールの最大外径部）の半径をＲとし、操作部２５の円弧移動部位（少なくとも前記最内部位Ｐ）の円弧移動半径をＲ１としたときに、Ｒ１＝Ｒ×１．０〜１．５となることが特に好ましい（例えば、Ｒ＝１９．５ｍ、Ｒ１＝２３ｍｍ）。すなわち、前記「フランジ７ｂの外縁から径方向外方の所定の範囲」は、スプール７の回転軸Ｏを中心とする半径がＲの円と半径が１．５×Ｒの円との間の環状領域であることが好ましい。これは、前記「所定の範囲」がＲよりも小さいと、特に本実施形態のように操作部位２５ａが側板５Ａ，５Ｂ間に架設される配置形態ではスプール７に巻回される釣糸と操作部位２５ａとが干渉してしまう場合があり、一方、１．５Ｒよりも大きいと、操作部位２５ａがスプール７から離れすぎて、サミング操作から操作部２５によるモータ出力操作へのスムーズな移行が難しくなるとともに、リール本体５のコンパクト化を図れなくなるからである。
【００３８】
また、本実施形態では、より良い操作感を得るため、サミング操作位置から操作部２５の操作位置へと向かう方向をモータ出力の増加方向に合わせることが好ましい。すなわち、操作部２５を前方に向けて回動操作することで駆動モータ８の出力が上昇するように制御ケース１５の制御部が設定されている。このようにすると、釣糸の巻き取りをする際、サミングしている親指をそのまま前方に延ばして、操作部２５を押し上げるような操作をすることで釣糸の巻き取り操作が行えるため、操作性の向上が図れるようになる。なお、サミングは必ずしも釣糸放出時のみの操作に限らず、クラッチＯＮ状態でアタリを待つ間にも行われる（ダイレクトにアタリが指に伝わる）。
【００３９】
なお、操作部２５の回転操作量と駆動モータ８の出力との関係については任意であるが、本実施形態では、操作部２５の基準位置をモータの出力値０として、約１５°前方に回動操作した際、モータ出力がＭａｘになるように設定されている。すなわち、前方に向けて操作した際に増速とすることで、釣竿とリール本体を持つ手に負荷がかかる高速巻き取り時に、より重心に近い前方を把持できるので、把持保持性が高くなり、操作性が良く、疲れ難くなる。特に本実施例のようなフロントモータータイプには有効である。
【００４０】
また、本実施形態では、調整ダイヤル３００の反対側（ハンドル６側）に、操作部２５の操作回転角を検出するための角度センサ１３０が設けられる。この角度センサ１３０は制御ケース１５に固定されており、それに関連して、右カバー４ｂには、角度センサ１３０の一部を収容する収容凹部を形成する凸状部９１（図１および図２参照）が設けられる。なお、角度センサ１３０は、操作部２５の操作量（操作回転角）に応じた信号を生成する機能を備えたものであれば良く、例えば、操作部２５の操作量に応じた抵抗値の変化を出力するポテンショメータを備えたもの、或いは、操作量に応じたパルスを生成するエンコーダを備えたものなど、様々な構造のものを適用することが可能である。
【００４１】
また、角度センサ１３０は、ラック・アンド・ピニオン方式により操作部２５の操作量を検出するようになっている。具体的には、図４および図５に明確に示されるように、一方（本実施形態では右側）の移動体２５ｃから角度センサ１３０側へ延びる肉厚の薄い延出部２５ｃ’の外面には一体に或いは別体でラック７２が設けられており、このラック７２には角度センサ１３０に設けられるピニオンギア７１が噛合している。したがって、移動体２５ｃ（操作部２５）が凹溝７４に沿って前後に移動することにより、ピニオンギア７１が回転し、それに伴って角度センサ１３０が操作部２５の操作量を検出できる。なお、本実施形態では、ピニオンギア７１が角度センサ１３０に対してナット７３により取り付けられる。
【００４２】
以上説明したように、本実施形態によれば、操作部２５がスプール７のフランジ７ｂの外縁から径方向外方の所定の範囲内でスプール７の回転方向に沿って円弧状に移動可能に支持されるため、スプール７に対するサミンング操作に関与するスプール糸巻き面の曲率と操作部２５の操作移動軌跡の曲率とを近似させることが可能となり（設計自由度が高い）、手持ち状態で釣竿とリール本体５とを片手で把持しながらであっても、サミング操作からモータ出力操作へと至る一連の操作を優れた操作フィーリング（スプール７の回転と同調したフィーリング）をもってスムーズに行なえる。すなわち、図５に示されるように、スプール７の表面上に親指（Ｔ１）を接触させたサミング状態から、親指（Ｔ１）を前方上斜めに押し上げることにより親指（Ｔ２）を操作部２５にスムーズに接触させることができ、そのまま、その親指Ｔ２で操作部２５を回転操作することができる。このように、操作部２５を、釣竿とともにリール本体５を把持保持した状態でサミング操作しながら操作可能な位置に配設したことで、釣竿とリール本体５を保持した姿勢で片手操作を行うことが可能となる（したがって、巻取り速度を変えながら腕を伸ばしてシャクリ（誘い）をかけることも可能になる）。また、親指でサミングしながら、親指の指先で操作部２５に触れていることが可能であるため、サミングによるアタリを感知しながら、即座にモータ駆動による巻き取りが可能となる。さらに、操作部２５は、略前後方向に移動可能となっていることから、同時にサミングしたり離したりする（接触させたり離す）指の動きと同一方向となり、操作性が良好となる。
【００４３】
また、本実施形態によれば、操作部２５がスプール７の回転軸Ｏを中心に回動するため、操作部２５の円弧移動範囲（前記「所定の範囲」）を小さくすることができ、ひいては、操作部２５の設置に関与するフレーム３ａ，３ｂの小型化を図ることもできる。なお、本実施形態において、操作部２５の回動中心はスプール７の回転中心Ｏから若干ずれていても構わない。１０ｍｍ程度のずれであれば、良好な操作フィーリングが得られる。
【００４４】
また、本実施形態によれば、操作部２５の少なくとも一部が側板５Ａ，５Ｂ間のスプール７上方に位置されるため、手持ち状態で釣竿とリール本体５とを片手で把持しながらの操作部２５の操作が容易になることは勿論のこと、重量バランスも良好となるため、把持に伴う疲れが少ない。また、サミング操作からそのまま指を上方へ動かすだけで操作部２５によるモータ出力操作を行なうことができ、操作性が良好である。
【００４５】
また、本実施形態によれば、操作部２５が側板５Ａ，５Ｂ間を跨いで架橋状に配置され、特に、操作部位２５ａが移動体２５ｂ，２５ｃに両端支持された状態で側板５Ａ，５Ｂ間に架設されているため、大きな負荷に対して強く、竿とリールとを握持保持した状態での操作に適する。また、本構成では、スプール７の上方に操作部２５（操作部位２５ａ）が位置する結果となるため、リールの重心位置とのずれが小さく（したがって、操作に伴う回転モーメントが小さく）、操作に疲れを来たすことがない。また、操作部２５の移動機構の配置スペースとしてスプール周りの空間を有効利用できるため、設計の自由度も高い。
【００４６】
また、本実施形態によれば、操作部２５から角度センサ１３０へと操作量（操作回転角）を伝達するための構造がラック・ピニオンにより簡略化されるため、故障し難い。また、このような構造により、角度センサ１３０の収容スペースを確保し易くなる。
【００４７】
また、本実施形態によれば、角度センサ１３０が制御ケース１５に固定されるため、角度センサ１３０と制御ケース１５とのユニット化も可能になり、生産性および組み込み性を高めることもできる。
【００４８】
図６〜図１１は本発明の第２の実施形態を示している。これらの図から分かるように、本実施形態では、操作部２５の操作部位２５ａがスプール７の回転軸Ｏ（スプール軸７ａ）よりも前方に設けられている。具体的には、操作部位２５ａの長手方向中心軸Ｏ１は、図６，８，９に示されるように操作部２５が前方へと最大に移動された状態から図１０および図１１に示されるように操作部２５が後方へと最大に移動された状態へと至る操作部２５の移動経路の全体にわたってスプール７の回転軸Ｏよりも前方に位置されるようになっている。また、本実施形態では、外面にラック７２が設けられる移動体２５ｃの延出部２５ｃ’が肉厚に形成されており、第１の実施形態に比べてラック７２がピニオンギア７１に対して近付くように設定されている。したがって、ピニオンギア７１を小型化して組み込みスペースを小さくすることができる（ひいては、リールの小型化を図れる）。なお、それ以外の構成は第１の実施形態と同じである。
【００４９】
このように、本実施形態においても、第１の実施形態と同様、図１７にも示されるようにサミング操作からモータ出力操作へと至る一連の操作を優れた操作フィーリング（スプール７の回転と同調したフィーリング）をもってスムーズに行なえるとともに、操作部２５の操作部位２５ａがスプール７の回転軸Ｏ（スプール軸７ａ）よりも前方に設けられているため、サミング操作スペースを広く確保でき、操作がし易くなる上、糸絡みやバックラッシュの際の修復も容易になる。また、リール本体５に設けられる制御ケース１５の下側に操作部２５の移動軌跡を潜り込ませることもでき（図８，９，１１，１７参照）、省スペース化を図ることが可能になる。また、このように制御ケース１５の下側に操作部２５の移動軌跡を潜り込ませることができれば、制御ケース１５が操作部２５の移動軌跡を制御する（上方に抜けることがない）ことになり、左右フレーム３ａ，３ｂの円弧状に延びる長溝７５を省くことも可能になる。
【００５０】
図１２および図１３は本発明の第３の実施形態を示している。これらの図から分かるように、本実施形態では、操作部２５（操作部２５の少なくとも一部）がスプール７のフランジ７ｂ近傍に位置されている。具体的には、操作部位２５ａは、側板５Ａ，５Ｂ間を跨ぐことなく、スプール７のフランジ７ｂ近傍で右側の移動体２５ｃから片持ち梁状に短く延びている。したがって、左側の移動体２５ｂは省かれる。なお、それ以外の構成は第１の実施形態と同じである。
【００５１】
このような構成によれば、サミング操作する指をそのまま斜め横上方へ移動させるだけで操作部２５によるモータ出力操作を行なうことができ、目視上においても、サミング操作フィーリングとモータ巻取り操作フィーリングとの同調を良好に図ることができる。また、操作部位２５ａが側板５Ａ，５Ｂ間を跨いでいないため、サミング操作スペースを広く確保でき、操作がし易くなる上、糸絡みやバックラッシュの際の修復も容易になる。
【００５２】
図１４〜図１６は本発明の第４の実施形態を示している。これらの図から分かるように、本実施形態では、操作部２５がリール本体５の後部（第１の実施形態においてクラッチＯＦＦ切り換え部材１８が配置されていた部位）に上下方向に回動（円弧状に移動）可能に設けられている。この場合、側板５Ａ，５Ｂ間を跨いで配置される操作部位２５ａは、ラック付きプレート７７にネジ９９を介して支持されており、ラック付きプレート７７は、操作部位２５ａをその長手方向に貫通して延びるとともに、操作部位２５ａの一方の端部で前方へ向けて折り曲げられる屈曲部位にラック７２を有している。この場合、屈曲部位は円弧状に形成されており（図１６参照）、その内面にラック７２が設けられている。そして、このラック７２には、側板５Ａ側でリール本体５に固定される角度センサ１３０のピニオンギア７１が噛合されている。また、本実施形態では、操作２５を下方へ向けて回動操作した際に、駆動モータ８の出力が上昇するように設定されている。更に、操作部位２５ａに対する上側からの押圧操作がし易くなるだけでなく下側から上側への引き上げ操作もし易くなるように、操作部位２５ａの外面は凹凸状に形成されている（図１５，１６，１８参照）。また、本実施形態では、クラッチＯＦＦ切り換え部材１８の代わりに、クラッチＯＮ／ＯＦＦ切り換え可能なレバー３２０が右側板５Ｂ側に設けられる。なお、それ以外の構成は第１の実施形態と同じである。
【００５３】
このような構成では、図１８に示されるようにスプールをサミングしている親指Ｔ２の第一関節を折り曲げるなどして下方へ移動させる（Ｔ２→Ｔ１）だけで操作部２５を操作する（駆動モータを増速回転させる）ことができ、操作性の良い構成となる。なお、本操作形態の特性により、操作部２５の最内部位Ｐは、操作部位２５ａの径方向最も内側の上端縁となっている（例えば図１８参照）。
【符号の説明】
【００５４】
１  魚釣用電動リール
５  リール本体
５Ａ，５Ｂ  左右側板
７  スプール
７ａ  スプール軸
７ｂ  フランジ
８  駆動モータ
１５  制御ケース
１６  表示部
２５  操作部
７１  ピニオン
７２  ラック
１３０  角度センサ
Ｏ  回転中心（回転軸）
【図１】
2012161300.tif 000003
【図２】
2012161300.tif 000004
【図３】
2012161300.tif 000005
【図４】
2012161300.tif 000006
【図５】
2012161300.tif 000007
【図６】
2012161300.tif 000008
【図７】
2012161300.tif 000009
【図８】
2012161300.tif 000010
【図９】
2012161300.tif 000011
【図１０】
2012161300.tif 000012
【図１１】
2012161300.tif 000013
【図１２】
2012161300.tif 000014
【図１３】
2012161300.tif 000015
【図１４】
2012161300.tif 000016
【図１５】
2012161300.tif 000017
【図１６】
2012161300.tif 000018
【図１７】
2012161300.tif 000019
【図１８】
2012161300.tif 000020